(57)【要約】    【課題】  太陽電池による電力で発光する装置で、外部光から見た面の面積に占める発光部の面積を大きくできる発光体装置を提供する。    【解決手段】  電気エネルギーによって発光する発光部２０と、一方面が外部光に面する受光面とされ、他方面が発光部２０に対面し、受光面に入射した外部光を電気エネルギーに変換するとともに、発光部２０が発光した光を透過する太陽電池１０とが設けられている発光体装置１００とした。【選択図】  図１
2006049085.tif 000002
【特許請求の範囲】
【請求項１】
電気エネルギーによって発光する発光部と、
一方面が外部光に面する受光面とされ、他方面が前記発光部に対面し、前記受光面に入射した外部光を電気エネルギーに変換するとともに、前記発光部が発光した光を透過する太陽電池とが設けられていることを特徴とする発光体装置。
【請求項２】
さらに、前記太陽電池で変換された電気エネルギーを蓄える蓄電部が設けられ、該蓄電部に蓄えられた電気エネルギーによって前記発光部を発光させることを特徴とする請求項１記載の発光体装置。
【請求項３】
前記太陽電池が色素増感型太陽電池であることを特徴とする請求項１または請求項２に記載の発光体装置。
【請求項４】
前記太陽電池が穿孔加工されたアモルファスシリコン太陽電池であることを特徴とする請求項１または請求項２に発光体装置。
【請求項５】
さらに、外部の変化を感知するセンサが設けられていることを特徴とする請求項１〜４のいずれかに記載の発光体装置。
【請求項６】
前記センサとして、前記外部光を感知するセンサ、人体を検知するセンサ、音を感知するセンサ、振動を感知するセンサのうち少なくともいずれか一つのセンサが設けられていることを特徴とする請求項５記載の発光体装置。
【発明の詳細な説明】
【技術分野】
【０００１】
本発明は発光体装置に関する。
【背景技術】
【０００２】
近年、公共の場において夜間の歩行安全や景観を高めるため、地面や床、壁面などに発光体を設置した例が増加している。これらの発光体設置の施工には、電気工事のためにアスファルトを切断したり、厳重に防水処理された電気配線の敷設などが必要であった。
【０００３】
従来技術１として特許文献１には太陽電池によって発電した電力を電気二重層コンデンサに蓄積し、その蓄積電力で面状発光体を発光させる発光タイルが開示されている。また従来技術２として特許文献２には太陽電池によって発電した電力を利用して発光ダイオードを発光させる発光体装置が開示されている。特許文献１、２では、煩雑かつ高額な電気工事が不要であるとともに、電力を購入する必要がなくランニングコストがほとんど必要ないメリットがある。
【特許文献１】特開２０００−２９０９４５号公報（請求項１）
【特許文献２】特開２０００−３４０００４号公報（請求項３）  しかしながら、従来技術１、２では銀の集電線やタブをつけた黒色の単結晶シリコン太陽電池や同じ方法で作製した青色の多結晶シリコン太陽電池を用い、発光体の横や周囲に太陽電池を設置している。このため、外観に違和感があり、発光体自身の面積が大きくできないという問題点がある。また夜間発光する場合も発光しない太陽電池との間で境界ができ、隣接する発光体自身がシームレスな発光ができない問題がある。図１０は従来技術１の発光体装置を一直線上に配置した場合の図である。９個の発光体装置５０が一直線上の配置されている。発光体装置５０の中央の白抜き部分が面状発光体５２であり、周辺の黒塗り部分（図１０では引き出し線が見えるように灰色で示している。図１１〜１３も同様である。）が太陽電池５１である。この夜間の状態を図１１に示す。太陽電池５１が存在するため発光部分は飛び飛びになっており、シームレスな発光はできない。このため明白な直線とは認識できない。図１２は従来技術１の発光体装置で文字ＴＦを描くように配置した場合の図である。それぞれ８個の発光体装置５０でＴとＦの文字が構成されている。図１０と同様に、発光体装置５０の中央の白抜き部分が面状発光体５２であり、周辺の黒塗り部分が太陽電池５１である。この夜間の状態を図１３に示す。やはり太陽電池５１が存在するため発光部分は飛び飛びになっており、シームレスな発光はできない。このためＴＦという文字が認識しづらい。このように従来技術では文字や紋様の認識率が低かったりや意匠性に劣るという問題点があり、用途が拡大しなかった。これを解決するために、発光体装置の表示面すなわち太陽光（外部光）から見た面の面積に占める発光部の面積を大きくすることが必要である。
【発明の開示】
【発明が解決しようとする課題】
【０００４】
本発明は上記課題を解決したもので、太陽電池による電力で発光する装置で、外部光から見た面の面積に占める発光部の面積を大きくできる発光体装置を提供する。
【課題を解決するための手段】
【０００５】
上記技術的課題を解決するために、請求項１の発明では、電気エネルギーによって発光する発光部と、一方面が外部光に面する受光面とされ、他方面が前記発光部に対面し、前記受光面に入射した外部光を電気エネルギーに変換するとともに、前記発光部が発光した光を透過する太陽電池とが設けられていることを特徴とする発光体装置としている。
【０００６】
請求項２の発明では、さらに、前記太陽電池で変換された電気エネルギーを蓄える蓄電部が設けられ、該蓄電部に蓄えられた電気エネルギーによって前記発光部を発光させることを特徴とする請求項１記載の発光体装置としている。
【０００７】
請求項３の発明では、前記太陽電池が色素増感型太陽電池であることを特徴とする請求項１または請求項２に記載の発光体装置としている。
【０００８】
請求項４の発明では、前記太陽電池が穿孔加工されたアモルファスシリコン太陽電池であることを特徴とする請求項１または請求項２に発光体装置としている。
【０００９】
請求項５の発明では、さらに、外部の変化を感知するセンサが設けられていることを特徴とする請求項１〜４のいずれかに記載の発光体装置としている。
【００１０】
請求項６の発明では、前記センサとして、前記外部光を感知するセンサ、人体を検知するセンサ、音を感知するセンサ、振動を感知するセンサのうち少なくともいずれか一つのセンサが設けられていることを特徴とする請求項５記載の発光体装置としている。
【発明の効果】
【００１１】
請求項１の発明によれば、発光部の発光した光が太陽電池を透過するので、外部光から見て太陽電池の後方に発光部を配置でき、スペース効率を向上できるという効果がある。すなわち外部光から見た発光体装置の面における発光部の占める面積の割合は大きくできる。これにより、複数の発光体装置をならべて配置し発光させた場合、シームレスな表示が可能となる。
【００１２】
請求項２の発明によれば、蓄電池が設けられているので、太陽電池で発電した電気エネルギーを発電時以外の時間にも利用できるという効果がある。これにより昼間発電し、その電力だけを使用して夜間の適当な時間に発光するようにできる自発光体にできるので、外部からの配電設備が不要となる。
【００１３】
請求項３の発明によれば、太陽電池が色素増感型太陽電池であるので、スクリーン印刷で電池部が製造可能なため、形状の自由度が大きいという効果がある。また、色素の選択により、発光しないときも意匠性に優れているとともに、発光時には色素の色と発光色の複合した色調を発現できるという効果がある。
【００１４】
請求項４の発明によれば、太陽電池が穿孔加工されたアモルファスシリコン太陽電池であるので、孔の開口率により発光に明るさを制御したり、穿孔のパターンで光の紋様などを作り出せるという効果がある。
【００１５】
請求項５の発明によれば、外部の変化を感知するセンサが設けられているので、外部の状態に応じて発光を制御できるという効果がある。
【００１６】
請求項６の発明によれば、センサとして、前記外部光を感知するセンサ、人体を検知するセンサ、音を感知するセンサ、振動を感知するセンサのうち少なくともいずれか一つのセンサを使用しているので、目的に応じて発光を制御できるという効果がある。例えば、外部光を感知するセンサによって現在昼間か夜間か判断できる。人体を検知するセンサによって、人が近づいたときだけ発光させるように制御できる。音や振動を感知するセンサによって人を検知して案内したり、侵入者や侵入動物を感知して脅すこともできる。振動を感知するセンサによって地震時の案内に使用することもできる。これらのセンサは一つで使用しても、複数組み合わせても良い。
【発明を実施するための最良の形態】
【００１７】
以下、本発明の実施例について、図面に基づいて説明する。
【実施例１】
【００１８】
図１は実施例１の発光体装置を説明する概略断面図である。この発光体装置１００は、ベース１、カバー２、太陽電池１０、面状発光部２０、蓄電部３０、回路基板４０、制御部４１、日射センサ４２などから構成されている。ベース１はアルミ製であり、この上に蓄電部３０、制御部４１が設けられている。ベース１の上面には回路基板４０が設けられ、回路基板４０の上に面状発光部２０が設けられている。面状発光部２０上に太陽電池１０が当接して設けられている。カバー２は透光性を有するポリカーボネートで形成されている。カバー２は太陽光を受光する窓の役割を持っている。ベース１とカバー２によって発光体装置の機器類を収納する筐体となっており、ベース１の周辺部でカバー２と当接し、シール部材３によってシールされている。
【００１９】
図２は太陽電池１０の１セルの概略断面図である。太陽電池１０は色素増感型太陽電池であり、光電極１１、対極１２、電解質部１３およびシール部材１４などから構成されている。光電極１１は、透光性基板１１ａと透明導電膜１１ｂと光電変換活物質層１１ｃから構成され、透光性を有している。対極１２は透光性基板１２ａと透明導電膜１２ｂから構成され、透光性を有している。透光性基板１１ａや透光性基板１２ａはガラスや透明樹脂など透光性に優れている材料が使用される。透明導電膜１１ｂや透明導電膜１２ｂは酸化インジウムと酸化スズの化合物やフッ素ドープの酸化スズなどの透光性と導電性に優れた蒸着膜が使用される。透明導電膜１２ｂ上には白金触媒粒子１２ｃが担持されている。光電変換活物質層１１ｃには色素を吸着した酸化チタン（一般的にはアナターゼ）粒子層が使用される。電解質部１３としては、電子を放出して酸化され対極から電子を獲得し還元される、例えばＩ−／Ｉ３−などのような酸化還元対を含み、それらが移動しやすい電解液が使用される。電解質部１３は溶液であるので、光電極１１と対極１２の周囲がシール部材１４によってシールされ液漏れを防止している。電解質部１３は透光性を有している。光電極１１、対極１２、電解質部１３はいずれも透光性を有しているので、太陽電池１０は透光性を有している。
【００２０】
図３は面状発光部２０の概略断面図である。面状発光部２０はＥＬ（エレクトロルミネッセンス）素子であり、透明電極２１、背面電極２２、発光層２３などから構成されている。透明電極２１、発光層２３、背面電極２２の順に積層され、透光性を有するシール部材２４によって覆われている。透明電極２１と背面電極２２にはリード線２５、２６によって交流電圧が印加されることによって発光層２３が発光する。発光層２３には高誘電率バインダ中に蛍光体を分散したものが使用される。
【００２１】
太陽電池１０は光電極１１を受光面として外部光側に面するように、すなわちカバー２側に面するように設けられている。太陽電池１０の対極１２側が面状発光部２０の透明電極２１側に当接し、対面されている。
【００２２】
蓄電部３０は太陽電池１０が発電した電力を蓄電し、この蓄電された電力を使用して面状発光部２０を発光させる。日射センサ４２は発光体装置１００の外部の変化を感知するセンサであり、外部の変化として外部光を感知するために日射量を計測するセンサである。
【００２３】
回路基板４０、制御部４１には太陽電池１０で発電した電力を蓄電部３０に蓄電する充電回路、面状発光部２０に対し蓄電部３０の電力をＥＬ発光のために高周波に変換して放電するインバータを含む放電回路、日射センサ４２が計測した日射量に日射量に応じ面状発光部２０の点灯をＯＮ／ＯＦＦさせる回路などが設けられている。すなわち、日射センサ４２は常時日射量を計測しており、予め決められた所定日射量以上である場合に夜間と判断し面状発光部２０を点灯し、所定日射量より小さい場合に昼間と判断し面状発光部２０を消灯するように制御する。
【００２４】
本発光体装置１００は屋外に設置される。昼間には太陽光が外部光としてカバー２を介して太陽電池１０に入射される。太陽電池１０では受光した太陽光が電気エネルギーに変換される。この電気エネルギーは蓄電部３０に蓄えられる。このとき面状発光部２０は消灯されている。一方、夜間には蓄電部３０に蓄えられた電気エネルギーによって面状発光部２０が発光させる。このように本発光体装置１００は、昼間太陽電池で充電し、夜間一定の明るさより暗くなると自動的に点灯する自発光体である。
【００２５】
太陽電池１０が透光性を有しているので、面状発光部２０が発光した光は太陽電池１０を透過してカバー２を介して発光体装置１００の外部に放射される。太陽電池１０が透光性を有しているので、外部光から見て太陽電池１０の後方に面状発光部２０を配置することができ、面状発光部２０が発光体装置１００の発光面（カバー２の前面）とほぼ同じ面積を占めることができ、スペース効率に優れた発光体装置となっている。
【００２６】
この発光体装置１００の発光試験を行った。試験に使用した太陽電池１０は１００ｍｍ×１００ｍｍの大きさで１０セル直列に内部接続された色素増感型太陽電池のモジュールであり、ＪＩＳ  Ｃ  ８９３５の基準状態に準じた測定で２５０ｍＷの出力を有するものである。太陽電池１０は下記に示すようにして製造した。
【００２７】
透明導電膜が付与された１対のガラス基板を用意した。その一方のガラス基板をセル形状や数に合わせて絶縁のためスクライブを行った。その一つの基板の透明導電膜上に平均粒子径約１０ｎｍの酸化チタンの超微粒子（ＴｉＯ２）を分散、ペースト化し焼成後約５μｍになるよう膜厚を制御してスクリーン印刷を行った。これを焼成後、酸化チタン粒子層に増感色素としてＲｕ錯体［Ｒｕ（４，４’−ｄｉｃａｒｂｏｘｙｌａｔｅ−２，２’−ｂｉｐｙｒｉｄｉｌ）２（ＮＣＳ）２］を吸着させた。
【００２８】
他方のガラス基板には透明導電膜に白金（Ｐｔ）触媒微粒子を担持し、セル形状や数に合わせて絶縁のためスクライブを行った。また電解液の注入ができるようセル毎に穴を穿孔し注入口を形成した。その後それぞれのセルが内部で直列に接続するように、第１のセルの対極から隣り合うセルの光電極を導電性粒子を含むシール材料でつなぎ合わせ、それを第１０のセルまで繰り返した。その周囲をアイオノマー系熱融着剤で貼り合わせた。このアイオノマー系熱融着剤がシール部材となる。
【００２９】
酸化還元対であるヨウ化物イオン（Ｉ−）／（Ｉ３−）を電解質として含む電解液ＭＰＮ（メトキシプロピオニトリル）をセル背面にある電解液の注入口から注入し、最後にアイオノマー系熱融着剤をラミネートしたガラス片を注入口にあて熱融着で封止した。セルの可視光透過率は６００ｎｍで１３．９％、７００ｎｍで５０．３％であった。セルの光電変換効率は光の透過率が高くしたため、さほど高くならず３．８％であった。
【００３０】
蓄電部３０には１つが２０００ｍＡｈの容量を持つニッケル水素電池を３直列で使用した。面状発光部２０には太陽電池１０と同じ面積のＥＬ素子を使用した。用いたＥＬ素子に、蓄電部３０に用いたニッケル水素電池からインバータを介し交流１００Ｖに昇圧させ、６０Ｈｚで６ｍＡの電流を流したところ、発光輝度４０ｃｄ／ｍ２の均一感のある面状発光体となっていた。
【００３１】
この発光体装置１００の発光輝度を測定したところ、ＥＬ素子単体の発光輝度４０ｃｄ／ｍ２の約１／８の５〜６ｃｄ／ｍ２であった。発光したＥＬ素子の光が太陽電池１０の吸収や反射、カバー２の吸収・反射・屈折などによって約１／８になったものと考えられる。しかし、この発光輝度でも夜間には発光体装置として十分に認識できるものであり、夜間の景観の向上だけでなく、位置や境界の区分、段差等の認知ができ、歩行者の安全性を向上できるものであった。
【実施例２】
【００３２】
実施例２の発光体装置は、太陽電池１０として穿孔加工したアモルファスシリコン太陽電池を用い、蓄電部３０として１つが８００ｍＡｈの容量を持つニッケル水素電池を７直列で用いた以外は実施例１と同様の構成である。太陽電池１０のアモルファスシリコン太陽電池は基板が樹脂製でフレキシブルなものである。アモルファスシリコン太陽電池自身にはΦ１５０μｍの微細な孔が開口率３５％になるように穿孔加工されている。この太陽電池１０は１００ｍｍＸ１００ｍｍの大きさで１５セル直列に内部接続されたモジュールであり、ＪＩＳ  Ｃ  ８９３５の基準状態に準じた測定で３２５ｍＷの出力を有している。面状発光部２０のＥＬ素子に蓄電部３０に用いたニッケル水素電池からインバータを介し交流１００Ｖに昇圧させ、６０Ｈｚで６ｍＡの電流を流したところ、発光輝度４０ｃｄ／ｍ２の均一感のある面状発光体がとなっていた。
【００３３】
この発光体装置の発光輝度を測定したところ、ＥＬ素子単体の発光輝度４０ｃｄ／ｍ２の約１／５の８〜１０ｃｄ／ｍ２であった。太陽電池１０の穿孔した開口部からの通過であること、ポリカの吸収・反射・屈折などで約１／５になったものと考えられた。しかし、この発光輝度でも夜間には発光体装置として十分に認識できるものであり、夜間の景観の向上だけでなく、位置や境界の区分、段差等の認知ができ、歩行者の安全性を向上できるものであった。
【実施例３】
【００３４】
実施例３の発光体装置は、面状発光体２０として光導波路機能を有する透光性プレートを発光ダイオード（ＬＥＤ）で照明する光導波路式発光体を用いた以外は実施例１と同様の構成である。図４は光導波路式発光体の概略断面図であり、図５は光導波路式発光体の平面図である。光導波路機能を有する透光性プレート２７の周囲に４個のＬＥＤ２８が図４、５のように配置されている。発光されたＬＥＤ２８の光が透光性プレート２７に入射されると、光導波路機能によって透光性プレート２７全体に行き渡り、透光性プレート２全体がほぼ均一に光っている状態となる。透光性プレート２７の太陽電池１０に対面する面の面積は太陽電池１０の面積と同じとした。ＬＥＤ２８に蓄電部３０から２０ｍＡ／個の電流を流したところ、透光性プレート２７の平均輝度３０ｃｄ／ｍ２であった。
【００３５】
この発光体装置の発光輝度を測定したところ、透光性プレート２７の発光輝度３０ｃｄ／ｍ２の約１／８の４ｃｄ／ｍ２であった。発光したＥＬ素子の光が太陽電池１０の吸収や反射、カバー２の吸収・反射・屈折などによって約１／８になったものと考えられる。しかし、この発光輝度でも夜間には発光体装置として十分に認識できるものであり、夜間の景観の向上だけでなく、位置や境界の区分、段差等の認知ができ、歩行者の安全性を向上できるものであった。
【実施例４】
【００３６】
実施例４の発光体装置は、太陽電池１０として実施例２と同様の穿孔加工したアモルファスシリコン太陽電池を用い、面状発光体２０として実施例３と同様の光導波路式発光体を用い、蓄電部３０として実施例２と同様の１つが８００ｍＡｈの容量を持つニッケル水素電池を７直列で用いた以外は実施例１と同様の構成である。面状発光体２０のＬＥＤ２８に蓄電部３０から２０ｍＡ／個の電流を流したところ、透光性プレート２７の平均輝度３０ｃｄ／ｍ２であった。
【００３７】
この発光体装置の発光輝度を測定したところ、透光性プレート２７の発光輝度３０ｃｄ／ｍ２の約１／６の５ｃｄ／ｍ２であった。発光したＥＬ素子の光が太陽電池１０の吸収や反射、カバー２の吸収・反射・屈折などによって約１／６になったものと考えられる。しかし、この発光輝度でも夜間には発光体装置として十分に認識できるものであり、夜間の景観の向上だけでなく、位置や境界の区分、段差等の認知ができ、歩行者の安全性を向上できるものであった。
【００３８】
図６は実施例の発光体装置を一直線上に配置した場合の図である。発光体装置１００は実施例１〜４のいずれかの発光体装置である。９個の発光体装置１００が一直線上の配置されている。これの夜間の状態を図７に示す。発光体装置１００全体が発光するので、シームレスな発光ができ、明白な直線として認識できる。図８は実施例の発光体装置で文字ＴＦを描くように配置した場合の図である。これの夜間の状態を図９に示す。発光体装置１００全体が発光するので、シームレスな発光ができ、ＴＦという文字が明瞭に認識できる。このように、本発明の発光体装置を使用すれば、文字や紋様の認識率が高く、意匠性にも優れている。
【００３９】
以上のように、本発明は透光性を有する太陽電池を使用しているので、、外部光から見て太陽電池の後方に発光部を配置しても発光部が発光した光を外部に放射できるので、太陽電池での発電と発光部が両立した発光体装置のスペース効率を向上できる。また外部光から見た太陽電池と発光部の面積を同じにできるので、複数の発光体装置を使用してもシームレスな発光表示が得られる。蓄電部を内蔵し、太陽電池で発電した電力を蓄積し、その電力によって発光部を発光させれば、外部配線の必要がない自発光体ができる。蓄電池を使用せずに、外部電力と太陽電池によって発光部を発光させてもよい。昼間に発光して表示する場合には、太陽電池の発電分だけ消費電力を節約できる。
【００４０】
なお、実施例ではアモルファスシリコン太陽電池はΦ１５０μｍの孔を開口率３５％になるように穿孔加工しているが、これに限定されるものではない。孔径の最小径としては５０μｍ、７０μｍ、１００μｍ、１２０μｍが例示できる。孔径が小さすぎると加工が難しくなる。孔径の最大径としては２００μｍ、２５０μｍ、３００μｍが例示できる。孔径が大きすぎると発光輝度の均一性が悪くなる。開口率は使用目的に応じて適宜選択すればよいが、１０〜６０％が望ましい。さらに望ましくは２０〜５０％、３０〜４５％がよい。開口率が小さいと光の透過率が小さくなり、発光輝度が小さくなる。開口率が大きすぎると加工が難しくなるとともに、太陽電池の強度が小さくなる。
【００４１】
実施例では外部の変化を感知するセンサとして、外部光を感知する日射センサを使用したが、人体を検知するセンサ、音を感知するセンサ、振動を感知するセンサなど外部の変化を感知するセンサならどれでも適用できる。またこれらのセンサを複数組み合わせて使用してもよい。人体を検知するセンサとしては人間の発する赤外線を検知する赤外線センサがある。音を感知するセンサとしてマイクを用いたセンサがある。音や振動を感知するセンサとして圧電センサがある。これらのセンサの出力に応じて発光部のＯＮ／ＯＦＦを制御する。例えば、日射センサと人体検知センサを組み合わせて、昼間蓄電した電力によって、夜間に人が近づいたときだけ予め決められた所定時間だけ発光部を点灯するよう制御する。これにより消費電力を節約できるとともに、足元照明として歩行の安全性を確保できる。なお、日射センサの代わりに太陽電池自身を使用してもよい。
【００４２】
実施例では、外部光から見た発光部の面積を太陽電池と同じとしたが、特に限定されない。例えば、複数の発光部を太陽電池の後方に配置して文字や紋様など表したり、一つの発光部の形状を表したい文字や紋様とすることができる。発光部の面積が太陽電池の面積と同じか、大きい場合は複数の発光体装置を使用した場合、シームレスな表示が可能となる。発光部の面積が太陽電池の面積と同じであれば、太陽電池にも発光部にも無駄な面積がなく、スペース効率を最大にできる。
【００４３】
実施例では蓄電部としてニッケル水素電池を使用したが、電気二重層コンデンサ、ニッケル−カドニウム電池、リチウムイオン電池など蓄電できる装置なら何でも利用できる。実施例ではカバー２の表面について特に触れていないが、外表面に凹凸やエンボス加工しておけば、雨天歩行時のスリップ防止できたり、水はけを良くすることができる。
【００４４】
本発明は、道路、駐車場、公園、ビル、家屋、店舗などの地面、鉛直面で夜間の位置表示や、ステップの識別、標識、看板、装飾など、光を必要とするところに利用できる。具体的には、夜間安全歩行のための歩道や歩道橋の段差や階段のステップの識別、夜間安全歩行のための歩道と側溝の識別、歩道と用水路などの識別、非難誘導灯、玄関のアプローチ装飾、広場・公園の床装飾、店舗の発光看板、車の走行・駐車の車線・位置の識別、発光ガードレール、標識、店舗のアプローチ、看板、表札、外壁タイルの電飾、窓枠の防犯発光などに利用できる。
【図面の簡単な説明】
【００４５】
【図１】実施例１の発光体装置を説明する概略断面図
【図２】色素増感型太陽電池の１セルの概略断面図
【図３】面状発光部の概略断面図
【図４】光導波路式発光体の概略断面図
【図５】光導波路式発光体の平面図
【図６】実施例の発光体装置を一直線上に配置した場合の図
【図７】実施例の発光体装置を一直線上に配置した場合の夜間の状態の図
【図８】実施例の発光体装置で文字ＴＦを描くように配置した場合の図
【図９】実施例の発光体装置で文字ＴＦを描くように配置した場合の夜間の状態の図
【図１０】従来技術１の発光体装置を一直線上に配置した場合の図
【図１１】従来技術１の発光体装置を一直線上に配置した場合の夜間の状態の図
【図１２】従来技術１の発光体装置で文字ＴＦを描くように配置した場合の図
【図１３】従来技術１の発光体装置で文字ＴＦを描くように配置した場合の夜間の状態の図
【符号の説明】
【００４６】
１０…太陽電池
２０…面状発光部（発光部）
３０…蓄電部
４２…日射センサ（センサ）
１００…発光体装置
【図１】
2006049085.tif 000003
【図２】
2006049085.tif 000004
【図３】
2006049085.tif 000005
【図４】
2006049085.tif 000006
【図５】
2006049085.tif 000007
【図６】
2006049085.tif 000008
【図７】
2006049085.tif 000009
【図８】
2006049085.tif 000010
【図９】
2006049085.tif 000011
【図１０】
2006049085.tif 000012
【図１１】
2006049085.tif 000013
【図１２】
2006049085.tif 000014
【図１３】
2006049085.tif 000015